(57)【要約】【課題】投影方法を提供する。【解決手段】投影ディスプレイ設備がシフト装置によって複数のフレーム画面を含む投影画像を投影スクリーンに出力する工程と、処理回路が制御信号を出力してシフト装置が第１の軸に沿って複数の第１の角度で回動し又は第２の軸に沿って複数の第２の角度で回動するように駆動させ、第１の角度及び第２の角度が組み合わせて複数の投影位置に対応する工程と、投影ディスプレイ設備が順次に複数のフレーム画面を出力する場合、シフト装置が制御信号に基づいて順次に回動して複数のフレーム画面を投影位置における対応する１つに投影し、第１の角度又は第２の角度は少なくとも４つである工程と、を含む投影方法。【選択図】図５
2020137108.tif 000002
【特許請求の範囲】
【請求項１】
投影ディスプレイ設備がシフト装置によって複数のフレーム画面を含む投影画像を投影スクリーンに出力する工程と、
処理回路が制御信号を出力して前記シフト装置が第１の軸に沿って複数の第１の角度で回動し又は第２の軸に沿って複数の第２の角度で回動するように駆動させ、前記複数の第１の角度及び前記複数の第２の角度が組み合わせて複数の投影位置に対応する工程と、
前記投影ディスプレイ設備が順次に前記複数のフレーム画面を出力し、前記シフト装置が前記制御信号に基づいて順次に回動して前記複数のフレーム画面を前記複数の投影位置における対応する１つに投影する工程と、を含み、
前記複数の第１の角度又は前記複数の第２の角度は少なくとも４つである投影方法。
【請求項２】
前記複数のフレーム画面の解像度が前記投影画像の解像度よりも小さい請求項１に記載の投影方法。
【請求項３】
前記複数の第１の角度の数は前記複数の第２の角度の数と異なる請求項１または２に記載の投影方法。
【請求項４】
前記複数のフレーム画面は、単位ピクセルを含み、前記複数の投影位置と参照位置との間の距離の何れも前記単位ピクセルの長さの４分の１以下である請求項１〜３の何れか１項に記載の投影方法。
【請求項５】
前記複数の投影位置における隣接する投影位置の間のピッチは同じである請求項１〜４の何れか１項に記載の投影方法。
【請求項６】
前記複数の投影位置における隣接する投影位置の間のピッチは、完全に同じものではない請求項１〜４の何れか１項に記載の投影方法。
【請求項７】
前記シフト装置は、前記制御信号における第１の正弦波に基づいて前記複数の第１の角度に沿って回動し、前記制御信号における第２の正弦波に基づいて前記複数の第２の角度に沿って回動する請求項１〜６の何れか１項に記載の投影方法。
【請求項８】
前記シフト装置は、前記制御信号における第１の矩形波に基づいて前記複数の第１の角度に沿って回動し、前記制御信号における第２の矩形波に基づいて前記複数の第２の角度に沿って回動し、前記第１の矩形波の周波数は前記第２の矩形波の周波数の２倍である請求項１〜６の何れか１項に記載の投影方法。
【請求項９】
前記シフト装置は、前記制御信号における第１の矩形波に基づいて前記複数の第１の角度に沿って回動し、前記制御信号における第２の矩形波に基づいて前記複数の第２の角度に沿って回動し、前記第１の矩形波の周波数は前記第２の矩形波の周波数の４倍である請求項１〜６の何れか１項に記載の投影方法。
【請求項１０】
シフト装置と、
複数のフレーム画面を前記シフト装置に出力するためのイメージング装置と、
制御信号を出力して前記シフト装置が第１の軸に沿って複数の第１の角度で回動し又は第２の軸に沿って複数の第２の角度で回動するように駆動させることで、前記複数のフレーム画面が前記シフト装置によってそれぞれ対応する複数の投影位置に出力されて投影画像を形成する処理回路と、を含み、
前記投影画像の解像度が前記複数のフレーム画面の解像度よりも大きく、前記複数の第１の角度又は前記複数の第２の角度は少なくとも４つである投影ディスプレイ設備。
【請求項１１】
前記複数の第１の角度の数は前記複数の第２の角度の数と異なる請求項１０に記載の投影ディスプレイ設備。
【請求項１２】
前記制御信号は、第１の正弦波及び第２の正弦波を含み、前記シフト装置が前記第１の正弦波に基づいて前記複数の第１の角度に沿って回動しまた前記第２の正弦波に基づいて前記複数の第２の角度に沿って回動する請求項１０または１１に記載の投影ディスプレイ設備。
【発明の詳細な説明】
【技術分野】
【０００１】
本開示内容は、投影ディスプレイ設備と投影方法に関し、特に、解像度を向上させる投影ディスプレイ設備と投影方法に関する。
【背景技術】
【０００２】
技術の発展に従って、高解像度の投影ディスプレイに対する要求はますます広範囲になっている。高解像度画像は、明らかな細部情報と高品質の鑑賞度を提供するので、ユーザーエクスペリエンス及び多くの分野に役立つ。
【発明の概要】
【発明が解決しようとする課題】
【０００３】
しかしながら、コスト効果又は装置サイズ等を考慮すると、投影ディスプレイ設備の解像度は制限されている。従って、投影ディスプレイ設備の投影解像度を如何に向上させるかは、この分野の課題の一つになる。
【課題を解決するための手段】
【０００４】
本開示内容の一態様は、投影ディスプレイ設備がシフト装置によって複数のフレーム画面を含む投影画像を投影スクリーンに出力する工程と、処理回路が制御信号を出力してシフト装置が第１の軸に沿って複数の第１の角度で回動し又は第２の軸に沿って複数の第２の角度で回動するように駆動させ、第１の角度及び第２の角度が組み合わせて複数の投影位置に対応する工程と、投影ディスプレイ設備が順次に複数のフレーム画面を出力する場合、シフト装置が制御信号に基づいて順次に回動して複数のフレーム画面を投影位置における対応する１つに投影する工程と、を含み、第１の角度又は第２の角度は少なくとも４つである投影方法に関する。
【０００５】
本開示内容の一態様は、シフト装置と、複数のフレーム画面をシフト装置に出力するためのイメージング装置と、制御信号を出力してシフト装置が第１の軸に沿って複数の第１の角度で回動し又は第２の軸に沿って複数の第２の角度で回動するように駆動させることで、複数のフレーム画面がシフト装置によってそれぞれ対応する複数の投影位置に出力されて投影画像を形成する処理回路と、を含み、投影画像の解像度が複数のフレーム画面の解像度よりも大きく、第１の角度又は第２の角度は少なくとも４つである投影ディスプレイ設備に関する。
【０００６】
以上をまとめると、本願は、シフト装置が制御信号に基づいて異なる角度に回動することで、複数のフレーム画像を人間の目によって重ね合わせて、より高い解像度の投影画像を形成し、ネイティブ画像の解像度を高める効果を達成させる。
【図面の簡単な説明】
【０００７】
【図１】本開示内容の一部の実施例による投影ディスプレイ設備を示す模式図である。
【図２】本開示内容の一部の実施例によるシフト装置を示す模式図である。
【図３】本開示内容の一部の実施例による投影方法を示すフロー図である。
【図４】本開示内容の一部の実施例による複数のフレーム画面の発生を示す模式図である。
【図５】本開示内容の一部の実施例による複数のフレーム画面に対するシフトを示す模式図である。
【図６】本開示内容の一部の実施例による複数のフレーム画面が投影画像に合成することを示す模式図である。
【図７】本開示内容の他の一部の実施例による複数のフレーム画面の発生を示す模式図である。
【図８】本開示内容の他の一部の実施例による複数のフレーム画面に対するシフトを示す模式図である。
【図９】本開示内容の他の一部の実施例による複数のフレーム画面が投影画像に合成することを示す模式図である。
【図１０】本開示内容の他の一部の実施例による別の複数のフレーム画面に対するシフトを示す模式図である。
【図１１】本開示内容の他の一部の実施例による別の複数のフレーム画面に対するシフトを示す模式図である。
【図１２】本開示内容の他の一部の実施例による別の複数のフレーム画面の発生を示す模式図である。
【図１３】本開示内容の他の一部の実施例による別の複数のフレーム画面が投影画像に合成することを示す模式図である。
【図１４】本開示内容の一部の実施例による制御信号を示す模式図である。
【図１５】本開示内容の他の一部の実施例による別の複数のフレーム画面に対するシフトを示す模式図である。
【図１６】本開示内容の他の一部の実施例による別の複数のフレーム画面が投影画像に合成することを示す模式図である。
【発明を実施するための形態】
【０００８】
本明細書に用いる全ての語彙は、一般的な意味を有する。上記の語彙は、普通の常用の辞典における定義は、本明細書の内容においてこの語彙に関する使用例が例示だけであり、本開示内容の範囲と意味を限定すべきではない。同じように、本開示内容は、本明細書に示される各実施例に限定されない。
【０００９】
本発明に使用される「含む」、「有する」等は、何れも開放的な用語であり、つまり、「〜を含むが、それに限定されない」ことを指す。なお、本発明に使用される「及び／又は」は、関連する列挙される項目における１つ又は複数の項目における任意の１つ及びその全ての組合せを含む。
【００１０】
理解すべきなのは、本文において、「第１の」、「第２の」及び「第３の」等の用語は、各種の素子、部品、領域、層及び／又は部分を記述することに用いられる。しかしながら、これらの素子、部品、領域、層及び／又は部分は、これらの用語に制限されるものではない。これらの用語は、単一の素子、部品、領域、層及び／又は部分を識別するためのものだけである。従って、本願の意図から逸脱しない限り、以下の第１の素子、部品、領域、層及び／又は部分は、第２の素子、部品、領域、層及び／又は部分と称されてよい。
【００１１】
本文に使用される「結合」又は「接続」とは、２つ又は複数の素子が互いに直接的に実体又は電気的に接触し、或いは互いに間接的に実体又は電気的に接触し、２つ又は複数の素子が互いに操作し又は動作することを指してもよい。
【００１２】
図１を参照されたい。図１は、本開示内容の一部の実施例による投影ディスプレイ設備１００を示す模式図である。図１に示すように、投影ディスプレイ設備１００は、メモリ１１０、処理回路１２０、イメージング装置１４０、シフト装置１６０及びレンズ１８０を含む。構造上、メモリ１１０が処理回路１２０に結合される。処理回路１２０がイメージング装置１４０及びシフト装置１６０に結合される。
【００１３】
操作上、メモリ１１０は、データ又は信号を記憶することに用いられる。処理回路１２０は、データ信号Ｓ１をイメージング装置１４０に出力し、制御信号Ｓ２をシフト装置１６０に出力することに用いられる。イメージング装置１４０は、データ信号Ｓ１に基づいて複数のフレーム画面Ｌ１をシフト装置１６０に出力することに用いられる。シフト装置１６０は、制御信号Ｓ２に基づいて第１の軸に沿って複数の第１の角度で回動し及び／又は第２の軸に沿って複数の第２の角度で回動することで、複数のフレーム画面Ｌ１がそれぞれ対応する複数の投影位置に出力されて投影画像Ｌ３を形成することに用いられる。具体的に、投影画像Ｌ３は、シフトされた複数のフレーム画面Ｌ２により組み合わせられる。複数のフレーム画面Ｌ２は、複数のフレーム画面Ｌ１が対応する複数の投影位置にシフトされてなる。複数の投影位置は、複数の第１の角度及び複数の第２の角度に基づいて組み合わせられる。つまり、シフト装置１６０は、複数のフレーム画面Ｌ１を第１の角度及び第２の角度に基づいてレンズ１８０の異なる位置にシフトして複数のフレーム画面Ｌ２を形成する。レンズ１８０は、シフトされた複数のフレーム画面Ｌ２を投影スクリーン１９０に投影して投影画像Ｌ３を形成することに用いられる。
【００１４】
一部の実施例において、投影ディスプレイ設備１００は、デジタルテレビ、デジタルマイクロミラー、家庭用及びプロ用プロジェクター等の装置であってよい。一部の実施において、処理回路１２０は、中央処理装置（ＣＰＵ）、特定用途向け集積回路（Ａｐｐｌｉｃａｔｉｏｎ−ｓｐｅｃｉｆｉｃ  ｉｎｔｅｇｒａｔｅｄ  ｃｉｒｃｕｉｔ；ＡＳＩＣ）、デジタルシグナルプロセッサ（Ｄｉｇｉｔａｌ  Ｓｉｇｎａｌ  Ｐｒｏｃｅｓｓｏｒ；ＤＳＰ）、コンプレックスプログラマブルロジックデバイス（Ｃｏｍｐｌｅｘ  Ｐｒｏｇｒａｍｍａｂｌｅ  Ｌｏｇｉｃ  Ｄｅｖｉｃｅ；ＣＰＬＤ）、フィールドプログラマブルゲートアレイ（Ｆｉｅｌｄ−ｐｒｏｇｒａｍｍａｂｌｅ  ｇａｔｅ  ａｒｒａｙ；ＦＰＧＡ）、マルチプロセッサ、分散処理システム、又は適切なプロセッサ等の各種類の形態で実作されてよい。注意すべきなのは、処理回路１２０に関する上記実施形態は例示するためのものであるが、本願はこれに限定されない。処理回路１２０を実施するための様々な処理回路１２０又はユニットは、何れも本開示の範囲内に含まれる。
【００１５】
図２を参照されたい。図２は、本開示内容の一部の実施例によるシフト装置１６０を示す模式図である。図２に示すように、複数のフレーム画面Ｌ１における１つのＵ１は、シフト装置１６０によって、シフトされた複数のフレーム画面Ｌ２における対応する１つのＵ２に形成する。具体的に、シフト装置１６０は、処理回路１２０の制御信号Ｓ２に基づいて異なる角度（図２のＤ１、Ｄ２、Ｄ３、Ｄ４に示すように）に回動することで、ビームＵ１がシフト装置１６０によって異なる角度のビームＵ２に屈折する。
【００１６】
例として、シフト装置１６０は、図２における拡大模式図に示すように、Ｒ１の厚さのレンズＭ１を含む。レンズＭ１の屈折率ｎ２と空気の屈折率ｎ１とが異なるため、ビームＵ１が入射角θ１及び屈折角θ２で空気からレンズＭ１に入射する場合、ビームＵ２は入射角θ２及び屈折角θ１でレンズＭ１から空気に出射し、ビームＵ２及びビームＵ１がｄ１の距離だけシフトされる。ビームＵ１の入射角θ１が大きいほど、ビームＵ２のビームＵ１に対するシフト距離ｄ１は大きくなる。
【００１７】
このように、シフト装置１６０におけるレンズＭ１が異なる角度に回動するように調整することで、ビームＵ１の入射角θ１を変更して、異なる程度のシフト距離ｄ１を発生させて、複数のフレーム画面Ｌ１がシフトされた複数のフレーム画面Ｌ２を形成することができる。
【００１８】
更に詳しく言えば、図３を参照されたい。図３は、本開示内容の一部の実施例による投影方法を示すフロー図である。便利且つ明確に説明するために、下記の投影方法３００については、図１〜図１５に示す実施例に合わせて説明するが、これに限定されなく、当業者であれば、本発明の精神や範囲から逸脱しない限り、各種の変更や修正を加えることができる。図３に示すように、投影方法３００は、操作Ｓ３１０、Ｓ３２０、Ｓ３３０、Ｓ３４０及びＳ３５０を含む。
【００１９】
まず、操作Ｓ３１０において、処理回路１２０が原始画像に基づいて複数のフレーム画面Ｌ１のデータ信号Ｓ１を発生し出力する。具体的に、処理回路１２０は、原始画像における複数の画素群の対応位置の画素データを複数のフレーム画面Ｌ１における対応する１つに合成する。
【００２０】
例として、図４を参照されたい。図４は、本開示内容の一部の実施例による複数のフレーム画面Ｌ１の発生を示す模式図である。図４の実施例において、原始画像ＩＭＤの解像度４×８を例とする。原始画像ＩＭＤは、３２個の画素データＰ１１〜Ｐ４８を含む。画素データＰ１１〜Ｐ４８における複数の隣接する画素データは同じ群（図４の画素群Ｇ１、Ｇ２、Ｇ３、Ｇ４に示すように）である。処理回路は、原始画像ＩＭＤのそれぞれ画素群Ｇ１、Ｇ２、Ｇ３、Ｇ４内の左上隅に位置する画素データＰ１１、Ｐ１５、Ｐ３１、Ｐ３５を複数のフレーム画面Ｌ１における第１のフレーム画面Ｆ１に合成する。処理回路は、原始画像ＩＭＤにおけるそれぞれ画素群Ｇ１、Ｇ２、Ｇ３、Ｇ４内の左上隅に位置する２つ目の画素データＰ１２、Ｐ１６、Ｐ３２、Ｐ３６を複数のフレーム画面Ｌ１における第２のフレーム画面Ｆ２に合成する。
【００２１】
このように類推すれば、処理回路１２０は原始画像ＩＭＤのそれぞれ画素群Ｇ１、Ｇ２、Ｇ３、Ｇ４内の対応位置に位置する画素データＰ１３、Ｐ１７、Ｐ３３、Ｐ３７及びＰ１４、Ｐ１８、Ｐ３４、Ｐ３８及びＰ２４、Ｐ２８、Ｐ４４、Ｐ４８及びＰ２３、Ｐ２７、Ｐ４３、Ｐ４７及びＰ２２、Ｐ２６、Ｐ４２、Ｐ４６及びＰ２１、Ｐ２５、Ｐ４１、Ｐ４５をそれぞれ複数のフレーム画面Ｌ１における第３〜第８フレーム画面Ｆ３〜Ｆ８に合成する。このように、処理回路１２０は、解像度４×８の原始画像ＩＭＤに基づいて解像度２×２の８フレーム画面Ｆ１〜Ｆ８のデータ信号Ｓ１を発生させ、８フレーム画面Ｆ１〜Ｆ８のデータ信号Ｓ１をイメージング装置１４０に出力する。
【００２２】
注意すべきなのは、図４及び上記説明内容における原始画像ＩＭＤの解像度、原始画像ＩＭＤに含まれる画素データの数及びサイズは、便利に説明するためのものだけであり、本願を限定することを意図するものではない。当業者であれば、実際の設計要求に応じて調整してよい。
【００２３】
そして、操作Ｓ３２０において、イメージング装置１４０がデータ信号Ｓ１を受信してそれに基づいて複数のフレーム画面を出力する。具体的に、イメージング装置１４０は、処理回路１２０から複数のフレーム画面（図４におけるＦ１〜Ｆ８）を含むデータ信号Ｓ１を受信し、データ信号Ｓ１に基づいて順次に複数のフレーム画面Ｌ１をシフト装置１６０に出力する。
【００２４】
なお、操作Ｓ３３０において、処理回路１２０が制御信号Ｓ２を出力する。操作Ｓ３４０において、シフト装置１６０が制御信号Ｓ２を受信してそれに基づいて回動する。具体的に、制御信号Ｓ２は、第１の制御信号（図５における信号ＡＶ）及び第２の制御信号（図５における信号ＡＨ）を含む。シフト装置１６０は、第１の制御信号に基づいて第１の軸に沿って複数の第１の角度で回動し、第２の制御信号に基づいて第２の軸に沿って複数の第２の角度で回動する。第１の角度及び第２の角度は、対応して複数の投影位置を形成する。一部の実施例において、第１の軸及び第２の軸は、互いに垂直となる。一部の実施例において、第１の角度又は第２の角度は少なくとも４つである。
【００２５】
例として、図５を参照されたい。図５は、本開示内容の一部の実施例による複数のフレーム画面Ｌ１に対するシフトを示す模式図である。図５の実施例において、シフト装置１６０は、２種類のレベルを含む信号ＡＶに基づいてＸ軸に沿って２つの角度で回動することで、複数のフレーム画面Ｌ１がＹ方向に沿って２つの位置（位置Ｚ４、Ｚ５に示すように）でシフトする。例として、信号ＡＶの第１のレベルは＋Ｖ１であり、第２のレベルは−Ｖ１である。なお、シフト装置１６０は、４種類のレベルを含む信号ＡＨに基づいてＹ軸に沿って４つの角度で回動することで、複数のフレーム画面Ｌ１がＸ方向に沿って４つの位置（位置Ｚ１、Ｚ２、Ｚ３、Ｚ４に示すように）でシフトする。例として、信号ＡＨの第１のレベルは−Ｖ２であり、第２のレベルは−（１／３）Ｖ２であり、第３のレベルは＋（１／３）Ｖ２であり、第４のレベルは＋Ｖ２である。
【００２６】
このように、シフト装置１６０が制御信号Ｓ２に基づいて第１の軸に沿って複数の第１の角度で回動し第２の軸に沿って複数の第２の角度で回動することで、対応する複数の投影位置を形成することができる。
【００２７】
そして、操作Ｓ３５０において、複数のフレーム画面Ｌ１がシフト装置１６０によってそれぞれ対応する複数の投影位置に投影されて投影画像Ｌ３を形成する。具体的に、イメージング装置１４０の順次に出力する複数のフレーム画面Ｌ１（図４におけるＦ１〜Ｆ８）は、シフト装置１６０によって対応する複数の投影位置（図５におけるＺ１〜Ｚ８）にシフトされて複数のフレーム画面Ｌ２を形成する。複数のフレーム画面Ｌ２は、レンズ１８０によって投影スクリーン１９０に投影されて投影画像Ｌ３を形成する。
【００２８】
例として、図５に示すように、Ｔ１期間中に、イメージング装置１４０は、第１のフレーム画面Ｆ１を出力する。第１のフレーム画面Ｆ１は、シフト装置１６０によって投影位置Ｚ１にシフトされる。Ｔ２期間中に、イメージング装置１４０は、第２のフレーム画面Ｆ２を出力する。第２のフレーム画面Ｆ２は、シフト装置１６０によって投影位置Ｚ２にシフトされる。このように類推すれば、Ｔ３〜Ｔ８期間中に、イメージング装置１４０は、それぞれ第３〜第８フレーム画面Ｆ３〜Ｆ８を出力する。第３〜第８フレーム画面Ｆ３〜Ｆ８がそれぞれシフト装置１６０によって投影位置Ｚ３〜Ｚ８にシフトされる。
【００２９】
更に詳しく言えば、図５及び図６を合わせて参照されたい。図６は、本開示内容の一部の実施例による複数のフレーム画面Ｆ１〜Ｆ８を投影画像Ｌ３に合成することを示す模式図である。図６の実施例において、複数のフレーム画面Ｆ１〜Ｆ８は、解像度２×２を例とする。Ｚｒｅｆはシフト装置１６０が未作動（シフトしない）時に対応する投影位置である。つまり、Ｚｒｅｆは複数のフレーム画面Ｆ１〜Ｆ８の中心参照位置を表す。Ｚｒｅｆと複数のフレーム画面Ｆ１〜Ｆ８の何れか１つのサイズは同じであり、その単位ピクセルのサイズはＡ×Ｂである。
【００３０】
一部の実施例において、Ｔ１期間中に、シフト装置１６０は、レベル＋Ｖ１の信号ＡＶ及びレベル−Ｖ２の信号ＡＨに基づいてそれぞれフレーム画面Ｆ１をＹ方向に沿って上へ（１／４）ＢシフトしＸ方向に沿って左へ（１／４）Ａシフトし、イメージング装置１４０は第１のフレーム画面Ｆ１を出力すると、図６に示すような投影位置Ｚ１にシフトする。また、例えば、Ｔ６期間中に、シフト装置１６０は、レベル−Ｖ１の信号ＡＶ及びレベル＋（１／３）Ｖ２の信号ＡＨに基づいてそれぞれフレーム画面Ｆ１をＹ方向に沿って下へ（１／４）ＢシフトしＸ方向に沿って右へ（１／１２）Ａシフトし、イメージング装置１４０は第６のフレーム画面Ｆ６を出力すると、図６に示すような投影位置Ｚ６にシフトする。ここから分かるように、Ｔ１〜Ｔ８期間（即ち１つの完全的な画面の周期Ｔｐを構成する）の後、図５における第１〜第８フレーム画面Ｆ１〜Ｆ８は重ねあって図６における投影範囲Ｚａｌｌに示すような投影画像Ｌ３に合成する。
【００３１】
図６の実施例に示すように、Ｘ方向の隣接する投影位置（例えば投影位置Ｚ１及びＺ２）が単位ピクセル長さＡの６分の１（図６に示す（１／６）Ａ）だけ異なる。Ｙ方向の隣接する投影位置（例えば投影位置Ｚ１及びＺ８）が単位ピクセル長さＢの２分の１（図６に示す（１／２）Ｂ）だけ異なる。注意すべきなのは、解像度２×２を例として、第４の投影位置における左上隅の画素が、第１の投影位置における右上隅の画素と単位ピクセル長さＡの２分の１だけ離れる。つまり、Ｘ方向に４つの位置又はＹ方向に２つの位置で移動することに関わらず、参照中心位置Ｚｒｅｆから一番遠い投影位置（例えば投影位置Ｚ１）のエッジの何れも中心から同じ距離で離れる。即ち、投影画像Ｌ３がいくつかのフレーム画面を含むかに関わらず、投影範囲Ｚａｌｌの何れも固定される。即ち、全ての投影位置Ｚ１〜Ｚ８と参照中心位置Ｚｒｅｆとの間の距離の何れも単位ピクセル長さＡ又はＢの４分の１以下である。
【００３２】
このように、シフト装置１６０が軸に沿って４つの角度で回動し、他の軸に沿って２つの角度で回動すると、イメージング装置１４０の出力するネイティブ画像Ｌ１を対応する８つの投影位置に投影する。人の目による視覚的な持続性により、８つの投影位置における複数のフレーム画面を重ね合わせて投影画像Ｌ３に合成する。従って、原始解像度が低い複数のフレーム画面を出力し投影して８倍の原始解像度の新しい解析度投影画像を発生する。
【００３３】
注意すべきなのは、上記角度の数、偏向幅は便利に説明するためのものだけであり、本願を限定することを意図するものではない。他の角度の実施例について、以下の段落で説明される。
【００３４】
図７を参照されたい。図７は、本開示内容の他の一部の実施例による複数のフレーム画面Ｆ１〜Ｆ１６の発生を示す模式図である。図７の実施例において、図４の実施例と類似しており、その類似している操作は、既に前の段落で説明されるので、ここで説明しない。図４と比べると、本実施例において、原始画像ＩＭＤの解像度は８×８である。つまり、原始画像ＩＭＤは、６４の画素データＰ１１〜Ｐ８８を含む。画素データＰ１１〜Ｐ８８における複数の隣接する画素データは同一群（例えば図面の画素群Ｇ１に示すように）である。処理回路１２０は、原始画像ＩＭＤのそれぞれ異なる画素群内の対応位置に位置する画素データ（例えばＰ１１、Ｐ１５、Ｐ５１、Ｐ５５又はＰ３２、Ｐ３６、Ｐ７２、Ｐ７６）をそれぞれ複数のフレーム画面Ｌ１における異なる画面（例えばＦ１又はＦ１０）に合成する。
【００３５】
このように、処理回路１２０は、解像度８×８の原始画像ＩＭＤに基づいて解像度２×２の１６フレーム画面Ｆ１〜Ｆ１６のデータ信号Ｓ１を発生させ、１６フレーム画面Ｆ１〜Ｆ１６のデータ信号Ｓ１をイメージング装置１４０に出力する。
【００３６】
そして、図８及び図９を合わせて参照されたい。図８は、本開示内容の他の一部の実施例による複数のフレーム画面Ｆ１〜Ｆ１６に対するシフトを示す模式図である。図９は、本開示内容の他の一部の実施例による複数のフレーム画面Ｆ１〜Ｆ１６を投影画像Ｌ３に合成することを示す模式図である。図８、図９の実施例において、図５、図６の実施例と類似しており、その類似している操作は、既に前の段落で説明されるので、ここで説明しない。また、明確且つ簡潔な図面を示すために、図８でＴ１〜Ｔ１６期間の投影位置Ｚ１〜Ｚ１６だけを対応して示し、図９において、投影位置Ｚ１〜Ｚ１６がそれぞれ含まれる中心点位置Ｎ１〜Ｎ１６で投影位置Ｚ１〜Ｚ１６の位置を示し、矢印で投影位置Ｚ１〜Ｚ１６が移動する方向を示す。
【００３７】
図５、図６と比べると、本実施例において、シフト装置１６０は、４種類のレベルを含む信号ＡＶに基づいてＸ軸に沿って４つの角度で回動することで、複数のフレーム画面Ｌ１がＹ方向に沿って４つの位置（例えばＴ１、Ｔ５、Ｔ９及びＴ１３期間中に対応する投影位置Ｚ１、Ｚ５、Ｚ９及びＺ１３）でシフトする。且つ、シフト装置１６０は、４種類のレベルを含む信号ＡＨに基づいてＹ軸に沿って４つの角度で回動することで、複数のフレーム画面Ｌ１がＸ方向に沿って４つの位置（例えばＴ１、Ｔ２、Ｔ３及びＴ４期間に対応する投影位置Ｚ１、Ｚ２、Ｚ３及びＺ４）でシフトする。つまり、シフト装置１６０は、制御信号Ｓ２に基づいて第１の軸に沿って４つの第１の角度で回動し第２の軸に沿って４つの第２の角度で回動すると、対応する１６の投影位置Ｚ１〜Ｚ１６を形成することができる。
【００３８】
本実施例において、完全的な画面を構成する周期Ｔｐは、Ｔ１〜Ｔ１６期間を含む。Ｔ１〜Ｔ１６期間中に、イメージング装置１４０が順次に出力する複数のフレーム画面（図７におけるＦ１〜Ｆ１６）はシフト装置１６０によって対応する複数の投影位置（図９におけるＮ１〜Ｎ１６）にシフトされて複数のフレーム画面Ｌ２を形成し、複数のフレーム画面Ｌ２がレンズ１８０によって投影スクリーン１９０に投影されて投影画像Ｌ３を形成する。
【００３９】
例として、Ｔ１期間中に、イメージング装置１４０の出力する第１のフレーム画面Ｆ１は、シフト装置１６０によって図９に示すような投影位置Ｚ１（中心点がＮ１に位置する）にシフトされる。Ｔ１１期間中に、イメージング装置１４０の出力する第１１のフレーム画面Ｆ１１は、シフト装置１６０によって図９に示すような投影位置Ｚ１１（中心点がＮ１１に位置する）にシフトされる。
【００４０】
また、図９の実施例において、図６の実施例と比べると、Ｙ方向の隣接する投影位置（例えば投影位置Ｎ１及びＮ８）が単位ピクセル長さＢの６分の１（図９のように（１／６）Ｂを示す）だけ異なる。且つ、解像度２×２を例として、第１６投影位置における左上隅の画素が、第１の投影位置における左下角の画素と単位ピクセル長さＢの２分の１だけ離れる。つまり、Ｙ方向に２つの位置又は４つの位置で移動することに関わらず、参照中心位置Ｚｒｅｆから一番遠い投影位置のエッジの何れも中心から同じ距離で離れる（例えば図６の投影位置Ｚ１と参照中心位置Ｚｒｅｆの距離は図９の投影位置Ｚ１と参照中心位置Ｚｒｅｆの距離に等しい）。即ち、投影画像Ｌ３がいくつかのフレーム画面を含むかに関わらず、投影範囲Ｚａｌｌの何れも固定される。
【００４１】
なお、図８に示すように、一部の実施例において、矩形波信号ＡＶの波長λ１はおよそ矩形波信号ＡＨの波長λ２の２倍であり（即ち、矩形波信号ＡＨの周波数はおよそ矩形波信号ＡＶの周波数の２倍である）、シフト装置１６０が矩形波信号ＡＶに基づいて第１の角度に沿って回動し矩形波信号ＡＨに基づいて第２の角度に沿って回動すると、投影位置Ｚ１〜Ｚ１６は図９に示すように、Ｓ型に移動する。注意すべきなのは、各期間の時間の長さが短いほど、矩形波信号は三角波信号に似ている。
【００４２】
他の一部の実施例において、図１０に示すように、矩形波信号ＡＶの波長λ３はおよそ矩形波信号ＡＨの波長λ２の４倍である（即ち、矩形波信号ＡＨの周波数はおよそ矩形波信号ＡＶの周波数の４倍である）。Ｔ１〜Ｔ１６期間中に、図９の実施例と類似しており、投影位置Ｚ１〜Ｚ１６はＳ型に移動する。Ｔ１７〜Ｔ３２期間中に、図９の実施例と異なり、投影位置はＳ型に逆方向に移動する。つまり、図１０に示すように、Ｔ１７〜Ｔ３２期間中に対応する投影位置はＺ１６〜Ｚ１でる。具体的に、Ｔ１７〜Ｔ３２期間に対応する投影位置Ｚ１６〜Ｚ１にそれぞれ含まれる画像画面の対応する画素データは、図７の複数のフレーム画面Ｆ１６〜Ｆ１に示すようなものである。
【００４３】
また、他の一部の実施例において、図１１に示すように、制御信号は、波長が同じようにλ４であり且つ位相差が９０度の２つの信号ＡＶ、ＡＨを含む。本実施例において、完全的な画面を構成する周期Ｔｐは、Ｔ１〜Ｔ８期間を含む。Ｔ１〜Ｔ８期間中に、図１２におけるＦ１〜Ｆ８に示すようにイメージング装置１４０は順次に複数のフレーム画面を出力する。複数のフレーム画面Ｆ１〜Ｆ８はシフト装置１６０によって対応する複数の投影位置（図１３におけるＮ１〜Ｎ８に示すように）にシフトされて複数のフレーム画面Ｌ２を形成する。レンズ１８０は、シフトされた複数のフレーム画面Ｌ２を投影スクリーン１９０に投影して投影画像Ｌ３を形成することに用いられる。
【００４４】
例として、Ｔ１期間中に、イメージング装置１４０の出力する第１のフレーム画面Ｆ１は、シフト装置１６０によって図１３に示すような投影位置Ｚ１（中心点はＮ１に位置する）にシフトされる。Ｔ３期間中に、イメージング装置１４０の出力する第１１フレーム画面Ｆ１１は、シフト装置１６０によって図１３に示すような投影位置Ｚ３（中心点はＮ３に位置する）にシフトされる。
【００４５】
注意すべきなのは、シフト装置１６０が制御信号Ｓ２に基づいて回動して対応する投影位置を形成するため、制御信号Ｓ２の各期間内に変わる大きさを調整することで、より多くの投影位置を形成するために、より細かい角度まで回動するようにシフト装置１６０を制御することができる。つまり、完全的な画面を構成する周期Ｔｐ内の画素データをより多くの複数のフレーム画面に配り、対応する制御信号（例えば、図１４に示すような正弦波信号ＡＶ、ＡＨ）に合わせることで、投影ディスプレイ設備１００の出力する投影画像Ｌ３がより高いネイティブ解像度の効果を達成することができる。
【００４６】
また、他の一部の実施例において、隣接する投影位置の間のピッチは、完全に同じものでなくてもよい。具体的に、図１５及び図１６を参照されたい。図１５及び図１６の実施例において、それぞれ図５及び図６の実施例と類似しており、その類似している操作は、既に前の段落で説明されるので、ここで説明しない。図５及び図６と比べると、本実施例において、信号ＡＨの第１のレベルが−Ｖ２であり、第２のレベルが−（１／２）Ｖ２であり、第３のレベルが＋（１／２）Ｖ２であり、第４のレベルが＋Ｖ２である。つまり、シフト装置１６０が信号ＡＨに基づいてＹ軸に沿って毎度回動する角度は、完全に同じものではない。つまり、複数のフレーム画面Ｌ１がＸ方向に沿って毎度シフトする距離は、完全に同じものではない。
【００４７】
更に説明すると、図１６において、明確且つ簡潔な図面を示すために、投影位置Ｚ１〜Ｚ８のそれぞれの中心点位置Ｎ１〜Ｎ８で投影位置Ｚ１〜Ｚ８の位置を表す。Ｔ１期間中に、シフト装置１６０は、レベル＋Ｖ１の信号ＡＶ及びレベル−Ｖ２の信号ＡＨに基づいてそれぞれフレーム画面Ｆ１をＹ方向に沿って上へ（１／４）ＢシフトしＸ方向に沿って左へ（１／４）Ａシフトする。Ｔ３期間中に、シフト装置１６０は、レベル＋Ｖ１の信号ＡＶ及びレベル＋（１／２）Ｖ２の信号ＡＨに基づいてそれぞれフレーム画面Ｆ１をＹ方向に沿って上へ（１／４）ＢシフトしＸ方向に沿って右へ（１／８）Ａシフトする。
【００４８】
例として、図１６に示すように、投影位置Ｚ１及び投影位置Ｚ２は単位ピクセル長さＡの８分の１（例えば図面に示すように（１／８）Ａ）だけ異なる。投影位置Ｚ２及び投影位置Ｚ３は単位ピクセル長さＡの４分の１（例えば図面に示すように（１／４）Ａ）だけ異なる。投影位置Ｚ３及び投影位置Ｚ４は単位ピクセル長さＡの８分の１だけ異なる。ここから分かるように、隣接する投影位置の間のピッチは、完全に同じものではない。
【００４９】
当業者は、如何に上記複数の異なる実施例における信号波形ＡＶ及びＡＨに基づいて直接投影方法３００の前記操作及び機能を実行するかが分かるので、ここで説明しない。
【００５０】
本文で開示した方法を一連のステップ又はイベントに示して説明したが、示したこれらのステップ又はイベントの順序が制限的なものとして解釈されるべきではないことを理解すべきである。例えば、一部のステップは、異なる順序で発生及び／又は本文に示す及び／又は説明したステップ又はイベントを除いたステップ又はイベントと同時に発生することができる。また、本文で説明した１つ又は複数の態樣又は実施例を実施する時に、ここで示した全てのステップは必要なものではない。なお、本文における１つ又は複数のステップが１つ又は複数の分離したステップ及び／又は階段では実行されることもできる。
【００５１】
説明する必要があるのは、衝突しない場合に、本開示内容の各図面、実施例並びに実施例における特徴及び回路を互いに組み合わせることができる。図面に示された回路は、例示するためのものだけであり、説明を簡潔にさせ且つ理解しやすくするため、簡単化されたものであり、本発明を制限するためのものではない。なお、上記の各実施例における各装置、ユニットおよび素子は、各種のタイプのデジタル又はアナログ回路により達成されることができ、それぞれ異なる集積回路チップにより達成されることもでき、又は単一のチップに整合されることもできる。上記は、例示だけであり、本発明は、これに制限されない。
【００５２】
以上をまとめると、本願は、上記の各実施例に適用されることによって、シフト装置１６０が制御信号Ｓ２に基づいて異なる角度に回動することで、複数のフレーム画面は人の目による視覚的な持続性により高解像度の投影画像を重ね合わせて形成することができ、ネイティブ画面解像度を向上させる効果を達成する。
【００５３】
本願では、実施形態を前述の通りに開示したが、これは本願を限定するものではなく、当業者であれば、本願の精神と領域から逸脱しない限り、多様の変更や修飾を加えることができる。従って、本願の保護範囲は、後の特許請求の範囲で指定した内容を基準とするものである。
【符号の説明】
【００５４】
１００  投影ディスプレイ設備
１１０  メモリ
１２０  処理回路
１４０  イメージング装置
１６０  シフト装置
１８０  レンズ
１９０  投影スクリーン
Ｓ１  データ信号
Ｓ２、ＡＶ、ＡＨ  制御信号
Ｌ１、Ｌ２  複数のフレーム画面
Ｌ３  投影画像
Ｕ１、Ｕ２  ビーム
Ｄ１〜Ｄ４  偏向角度
Ｍ１  レンズ
Ｒ１  厚さ
ｎ１、ｎ２  屈折率
θ１、θ２  角度
ｄ１  距離
３００  投影方法
Ｓ３１０〜Ｓ３５０  操作
ＩＭＤ  原始画像
Ｐ１１〜８８  画素データ
Ｇ１〜Ｇ４  画素群
Ｆ１〜Ｆ１６  フレーム画面
Ｔ１〜Ｔ３２  期間
Ｚ１〜Ｚ１６、Ｎ１〜Ｎ１６  投影位置
Ｔｐ  周期
Ｘ、Ｙ  方向
Ｚｒｅｆ  参照位置
Ｚａｌｌ  投影範囲
Ａ、Ｂ  単位ピクセル長
λ１〜λ４  波長
＋Ｖ１、−Ｖ１、＋Ｖ２、＋（１／３）Ｖ２、−（１／３）Ｖ２、−（１／２）Ｖ２、＋（１／２）Ｖ２、−Ｖ２  レベル
【図１】
2020137108.tif 000003
【図２】
2020137108.tif 000004
【図３】
2020137108.tif 000005
【図４】
2020137108.tif 000006
【図５】
2020137108.tif 000007
【図６】
2020137108.tif 000008
【図７】
2020137108.tif 000009
【図８】
2020137108.tif 000010
【図９】
2020137108.tif 000011
【図１０】
2020137108.tif 000012
【図１１】
2020137108.tif 000013
【図１２】
2020137108.tif 000014
【図１３】
2020137108.tif 000015
【図１４】
2020137108.tif 000016
【図１５】
2020137108.tif 000017
【図１６】
2020137108.tif 000018